(57)【要約】【技術課題】  指先が不自由な人あるいは老人や子供が簡単に開口することができる易開封手段を施したピロー包装袋における開口手段を提供する。【解決手段】  易開封手段を施したピロー包装袋１において、背貼りシール３に形成する易開封手段をスリット４となし、かつこのスリット４に昇り勾配をつける。このようにすると、引き裂けた袋１の端縁５ａ、６ａにおいて、背貼りシール３のところに三角形状のタブ１０が形成される。したがって、このタブ１０を用いると摘み易いことから、指先が不自由な人あるいは老人や子供でも簡単に開封後の袋１を開口できる。【選択図】図１
2012136259.tif 000002
【特許請求の範囲】
【請求項１】
合掌張りシール部分を袋の裏面においてその中央に位置させると共に前記合掌貼りシールの先端縁に沿って易開封手段を設け、かつ前記合掌貼りシールを一方に倒して袋の外面フィルムにヒートシールを行い、更に前記合掌貼りシールが倒された方向の袋の側端にヒートシール部を形成し、このヒートシール部に前記合掌貼りシール方向に向けてＶ又はＩノッチから成る易開封手段を施したピロー包装体において、前記易開封手段は、合掌張りシールの先端縁から該シールの途中までは開封口側に向った昇り勾配のスリットとなすことにより、前記Ｖ又はＩノッチから合掌貼りシール側に向けて横一文字に引き裂きを開始すると、この引き裂きは合掌貼りシールの先端縁からスリット内に入り、このスリットの作用で昇り方向に傾斜して引き裂け、次に合掌貼りシールの基部に到達し、その後再び横一文字に引き裂けて袋の側端に到達して全開となることにより、前記合掌貼りシールの引き裂け口において、合掌貼りシールのところに開口用のタブが形成されることを特徴とした易開封手段を施したピロー包装袋における開口手段。
【請求項２】
前記スリットは、複数本形成されていることを特徴とする請求項１に記載の易開封手段を施したピロー包装袋における開口手段。
【請求項３】
前記スリットの勾配の角度は、１２°〜４５°の範囲で任意に形成されていることを特徴とする請求項１に記載の易開封手段を施したピロー包装袋における開口手段。
【請求項４】
前記スリットは、勾配の頂点から水平方向に曲げて形成されていることを特徴とする請求項１に記載の易開封手段を施したピロー包装袋における開口手段。
【請求項５】
前記スリットの入口部分にハ字状の導入口が形成されていることを特徴とする請求項１に記載の易開封手段を施したピロー包装袋における開口手段。
【発明の詳細な説明】
【技術分野】
【０００１】
本発明は、易開封手段を施したピロー包装袋における開口手段に関する。  
【背景技術】
【０００２】
ピロー包装袋は、一枚のフィルムの両サイドを中央に引き寄せて合掌形状に背貼りを行うことにより円筒状に形成し、その上でこのヒートシール部分を横断するように底及び口シールを行った形態である。
【０００３】
このような形態のピロー包装袋の場合、袋を開封する場合には袋のサイドから引き裂くと、前記背張りシール部分において引き裂きが止り、これ以上は引き裂くことができないことから、ハサミを用いて開封する必要がある。
【０００４】
このことから、ハサミを用いずに開封することが可能なように、本件出願人は、特許第４１９９０２４号公報に掲載の易開封手段を施したピロー包装袋を提案した。
【先行技術文献】
【特許文献】
【０００５】
【特許文献１】特許第４１９９０２４号公報
【発明の概要】
【発明が解決しようとする課題】
【０００６】
上記公知例の袋は、現在広く利用されて好評を得ているが、ひとつ問題点がある。
【０００７】
これは、袋の開封は手軽に出来るようになったが、開封したあとで引き裂かれた口を開口する際に、図７に示すように袋１の引き裂けた表と裏のフィルム５、６の端縁５ａ、６ａが揃ってしまうことから、開放のために指先をもって端縁５ａ、６ａを摘み、開こうとしても、この端縁５ａ、６ａに指先が掛からないということである。
【０００８】
特に、フィルムの剛性が高かったり、開封口内にジッパー１１が挿入されている場合には、どうしても端縁５ａ、６ａが密着してしまう。
【０００９】
このため、指先が不自由な人、あるいは老人や子供の場合に開口に苦労する例が多く、その解決策の提案が望まれている。図７において符号の３は背貼りシールである。
【００１０】
本発明は斯る点に鑑みて提供されるものであって、その目的は、前記した特許文献１に紹介されているピロー包装袋において、開封口を引き裂いた後で指先が不自由な人、あるいは老人や子供でも簡単に開口できる開口手段を提供することである。
【課題を解決するための手段】
【００１１】
本発明は、袋を引き裂いて開封したときに、この引き裂き端縁であって、背貼りシール部分に自動的に摘み用のタブが形成されるもので、このタブを摘んで簡単に開口することができる。
【００１２】
この特徴を奏するために提供する請求項１に記載の発明は、合掌張りシール部分を袋の裏面においてその中央に位置させると共に前記合掌貼りシールの先端縁に沿って易開封手段を設け、かつ前記合掌貼りシールを一方に倒して袋の外面フィルムにヒートシールを行い、更に前記合掌貼りシールが倒された方向の袋の側端にヒートシール部を形成し、このヒートシール部に前記合掌貼りシール方向に向けてＶ又はＩノッチから成る易開封手段を施したピロー包装体において、前記易開封手段は、合掌張りシールの先端縁から該シールの途中までは開封口側に向った昇り勾配のスリットとなすことにより、前記Ｖ又はＩノッチから合掌貼りシール側に向けて横一文字に引き裂きを開始すると、この引き裂きは合掌貼りシールの先端縁からスリット内に入り、このスリットの作用で昇り方向に傾斜して引き裂け、次に合掌貼りシールの基部に到達し、その後再び横一文字に引き裂けて袋の側端に到達して全開となることにより、前記合掌貼りシールの引き裂け口において、合掌貼りシールのところに開口用のタブが形成されることを特徴とするものである。
【００１３】
また、請求項２に記載の発明は、請求項１に記載の開口手段において、前記スリットは複数本形成されていることを特徴とするものである。
【００１４】
また、請求項３に記載の発明は、請求項１に記載の開口手段において、前記スリットの勾配の角度は１２°〜４５°の範囲で任意に形成されていることを特徴とするものである。
【００１５】
また、請求項４に記載の発明は、請求項１に記載の開口手段において、前記スリットは、勾配の頂点から水平方向に曲げて形成されていることを特徴とするものである。
【００１６】
また、請求項５に記載の発明は、請求項１に記載の開口手段において、前記スリットの入口部分にハ字状の導入口が形成されていることを特徴とするものである。
【発明の効果】
【００１７】
本発明は以上のように、開封した口の切り裂き端縁にタブが形成されているため、このタブを摘むことにより、簡単に開口を行うことができる。
【００１８】
よって、特に指先が不自由な人や老人あるいは子供にとっては有効である。
【図面の簡単な説明】
【００１９】
【図１】本発明を実施したピロー包装袋の説明図
【図２】易開封手段を施した合掌貼り部分の説明図
【図３】開封している状態の説明図
【図４】タブを摘んで開口している状態の説明図
【図５】スリットの上端に補助スリットを形成した実施例１の説明図
【図６】スリットの入口に導入口を形成した実施例の説明図
【図７】従来の易開封手段を設けたピロー包装袋の説明図
【発明を実施するための形態】
【００２０】
本発明は、開封口内にジッパーが挿入されている場合に特に有効であるが、このジッパーが挿入されていない袋にも適用することができる。
【００２１】
また、袋はガゼットタイプとノンガゼットタイプの双方が対象となる。
【００２２】
袋の材質はプラスチックフィルムの複合体あるいはアルミ箔フィルムを複合したプラスチックフィルムが対象となる。
【実施例】
【００２３】
以下、図１〜図６を用いて請求項１〜５に記載した発明の実施例を詳細に説明する。
【００２４】
各図において、符号の１はピロー包装袋を示し、２はこのピロー包装袋１の口シール、３は背面６の中央に位置する合掌貼りシールであって、この合掌貼りシール３は袋１の背面６において倒されていて、背面６の表面にヒートシールされている。
【００２５】
４は、前記合掌貼りシール３において、その先端３ａから昇り勾配をつけて切り込みを入れることにより形成されたスリットであって、このスリット４の先端４ｂは合掌貼りシール３の基部３ｂより手前で止っている。
【００２６】
８は袋１において、前記合掌貼りシール３が倒された方向の側端部１ａにおいて、前記スリット４と対向する位置に形成された表と裏フィルム５、６を部分的にヒートシールして形成したシール部であって、このシール部８にはスリット４側に向けてＶ又はＩノッチ９が形成されている。
【００２７】
なお、合掌貼りシール３は、スリット４を含む領域又はスリット４を間にした上下の領域が袋１の背面フィルム６にヒートシールされていれば開封（引き裂き）に問題はないが、全体がヒートシールされていても構わない。
【００２８】
１１は、開封口７内に挿入されたジッパーである。
【００２９】
以上の構成から成る袋１を開封する場合には、図３に示すようにＶ又はＩノッチ９部分から引き裂きを行うと、横方向に袋１の表と裏フィルム５、６が点線で示すａ方向に引き裂けてやがて合掌貼りシール３の先端３ａに到達し、この先端３ａからスリット４の一つに入口４ａ入り、スリット４の傾斜に沿って立ち上り方向に引き裂け、スリット４の上端４ｂでスリット４が切れると再び合掌貼りシール３において水平方向に切り裂け、基部３ｂから袋１の表５と裏６のフィルムに入り、水平方向に切り裂けて袋１の側端１ｂに至り、全開となる。
【００３０】
図４は、このようにして全開となったときの切り裂き口７の拡大を示し、スリット４の傾斜とスリット４の上端４ｂから水平方向に切り裂けたところに三角形状のタブ１０が形成される。
【００３１】
したがって、タブ１０のところでの切り口の端縁５ａ、６ａは摘み易くなるため、図４のようにタブ１０を指先で摘んで容易に開口できる。
【００３２】
なお、スリット４の角度は小さいとタブ１０が小さくなるため、少くとも１２°以上となし、４５°を超えると引き裂き強度が大きくなるので、実用的には３５°程度が好ましい（請求項３）。
【００３３】
また、スリット４の上端４ｂのところにおいて、水平方向に曲げて補助スリット４ｃを形成するとスリット４に沿って引き裂けた表と裏フィルム５、６は、この補助スリット４ｃにより水平方向（横方向）にその向きを変えて引き裂けて行き易くなる（請求項４）。
【００３４】
上記構成と作用において、スリット４の数は限定されないが、３〜４本あれば十分である。
【００３５】
また、このスリット４の入口４ａに図６に示すような逆ハ字状の導入口４ｄを形成すると、引き裂きはスリット内に入り易くなり、また上記したスリット４の本数も少なくても良くなる。
なお、上記したタブ１０の部分には、ここを摘んで開けて下さい、といった趣旨の文字あるいは着色を施しておくと、間違いなく便利である。
【符号の説明】
【００３６】
１  ピロー包装袋
２  口シール
３  合掌貼りシール
４  スリット
５  表フィルム
６  裏フィルム
７  開封口
８  シール領域
９  Ｖ、Ｉカット
１０  タブ
１１  ジッパー
【図１】
2012136259.tif 000003
【図２】
2012136259.tif 000004
【図３】
2012136259.tif 000005
【図４】
2012136259.tif 000006
【図５】
2012136259.tif 000007
【図６】
2012136259.tif 000008
【図７】
2012136259.tif 000009